(57)【要約】【課題】  電気機器収納箱の連結部に介在させた部材により、通線窓を収納箱の外から容易に開閉できる連結通線構造を提供する。【解決手段】  電気機器を収めた二つの収納箱２を横に並べて連結し、連結部３で相対する二枚の側面パネル６にケーブルを通す通線窓７を形成する。二枚の側面パネル６の間にシャッター８を介装し、シャッター８の上端掛止部９を収納箱２の上面に掛止する。シャッター８を収納箱２の奥行方向へスライドし、通線窓７を開閉する。掛止部９をカバー１０で上側から覆い、カバー１０の両端取付部１１を扉５で隠し、カバー１０およびシャッター８の不正な取り外しを禁止して、収納箱２のセキュリティ性能を高める。【選択図】        図１
2009224630.tif 000002
【特許請求の範囲】
【請求項１】
電気機器を収めた少なくとも二つの収納箱を横に並べて連結し、収納箱の側面パネルに設けた通線窓にケーブルを通して配線する通線構造において、
前記収納箱の連結部で相対する二枚の側面パネルの間にシャッターを介装し、シャッターの上端を収納箱の上面に掛止し、シャッターを収納箱の奥行方向へスライドして、前記通線窓を開閉することを特徴とする電気機器収納箱の連結通線構造。
【請求項２】
前記シャッターの上端掛止部を上側からカバーで覆い、カバーを収納箱に取り付けたことを特徴とする請求項１記載の電気機器収納箱の連結通線構造。
【請求項３】
前記カバーの取付部を収納箱の扉で隠したことを特徴とする請求項２記載の電気機器収納箱の連結通線構造。
【発明の詳細な説明】
【技術分野】
【０００１】
本発明は、電気機器を収めた収納箱を横に並べて連結し、収納箱の側面パネルに設けた通線窓にケーブルを通して配線する電気機器収納箱の連結通線構造に関する。
【背景技術】
【０００２】
従来、収納箱の側面パネルに通線用の小窓を形成し、収納箱を連結した状態で、小窓を収納箱の内側から開き、小窓に通したケーブルで内部機器を接続する通線構造が知られている。また、特許文献１には、収納箱のフレームに側面パネルを着脱可能に取り付け、収納箱を連結した状態で、隣接するフレームの隙間から側面パネルを取り出して、収納箱の側面に通線用開口部を形成する構造が記載されている。
【特許文献１】特開２００２−１５１８６２号公報
【発明の開示】
【発明が解決しようとする課題】
【０００３】
ところが、前者の通線構造によると、小窓の開閉操作が収納箱の内部機器によって妨げられるため、配線作業に手間がかかるという問題点があった。後者の通線構造は、収納箱の外から側面パネルを出し入れできる利点はあるが、取り出した側面パネルの保管に不便を来たすという不都合があった。
【０００４】
本発明の目的は、上記課題を解決し、収納箱の連結部に介在させた部材により、通線窓を収納箱の外から容易に開閉できる連結通線構造を提供することにある。
【課題を解決するための手段】
【０００５】
上記の課題を解決するために、本発明は、電気機器を収めた少なくとも二つの収納箱を横に並べて連結し、収納箱の側面パネルに設けた通線窓にケーブルを通して配線する通線構造において、次の手段を採用したことを特徴とする。
（１）収納箱の連結部で相対する二枚の側面パネルの間にシャッターを介装し、シャッターの上端を収納箱の上面に掛止し、シャッターを収納箱の奥行方向へスライドして、通線窓を開閉することを特徴とする電気機器収納箱の連結通線構造。
【０００６】
（２）シャッターの上端掛止部を上側からカバーで覆い、カバーを収納箱に取り付けたことを特徴とする電気機器収納箱の連結通線構造。
（３）カバーの取付部を収納箱の扉で隠したことを特徴とする電気機器収納箱の連結通線構造。
【発明の効果】
【０００７】
本発明の通線構造によれば、シャッターを二枚の側面パネルの間に介在させたので、内部機器に妨げられることなく、収納箱の外から通線窓を容易に開閉できる。また、シャッターを収納箱に掛止した状態でスライドするので、通線窓を開放状態としておくときでも、シャッターを収納箱から取り外す必要がなく、そのまま収納箱の間に保管できるという効果もある。
【０００８】
シャッターの掛止部をカバーで覆うことで、シャッターの不正な取り外しを防止し、収納箱のセキュリティ性能を高めることができる。カバーの取付部を収納箱の扉で隠すことにより、カバーの不正な取り外しも禁止できる。
【発明を実施するための最良の形態】
【０００９】
以下、本発明の実施形態を図面に基づいて説明する。図１は二つの電気機器収納箱の連結通線構造を分解して示す。図２は図１の左側の収納箱の通線窓を開閉するシャッターを示す。図３は図１の左右の収納箱を上方から見て、シャッターとカバーの平面配置を示す。図４は図３の収納箱の連結部を拡大して、通線窓をシャッターで開閉する動作を示す。
【実施例】
【００１０】
図１、図２、図３に示すように、この実施例の連結通線構造１は、横方向に並べて設置された二台の電気機器収納箱２の連結部３に装備されている。収納箱２は、配電機器や通信機器等の各種電気機器を収める筺体４と、筺体４の開口面を覆う扉５とで構成されている。図示例では、筺体４の奥行寸法が大きく設定され、内部機器に前後両側からアクセスできるように、扉５が筺体４の前面と背面にそれぞれ設けられている。
【００１１】
左右の筺体４には、連結部３で相対する側面パネル６にケーブル（図示略）を通す通線窓７が形成されている。通線窓７は上下に複数、前後に二列設けられ、収納箱２の連結状態で、通線窓７に配線したケーブルで筺体４の内部機器が接続される。連結部３で相対する二枚の側面パネル６の間には前後一対のシャッター８が介装されている。シャッター８は上下に長く形成され、その上端に掛止部９が折り曲げられている。
【００１２】
掛止部９は筺体４の上面に掛止され、カバー１０によって上側から覆われている。カバー１０は前後に長く形成され、両端に取付部１１が折り曲げられている。取付部１１は筺体４と扉５との隙間に挿入され、扉５に隠れた状態でネジ１２により筺体４に取り付けられている。そして、カバー１０により掛止部９が筺体４の上面に保持され、二枚のシャッター８が筺体４に対し収納箱２の奥行方向へスライド可能に支持されている。
【００１３】
カバー１０の左右両側縁には、一対の切欠１３がシャッター８の幅に相当する間隔をあけて形成されている。掛止部９には突起１４が設けられ、シャッター８のスライドに伴って切欠１３に交互に嵌合する。そして、図４に示すように、シャッター８は、突起１４が一方の切欠１３に嵌合した位置で二枚の側面パネル６の通線窓７を開き、突起１４が他方の切欠１３に嵌合する位置で通線窓７を閉じるように構成されている。
【００１４】
上記構成の連結通線構造１によれば、次のような作用効果が得られる。
（ａ）収納箱２の連結部３にて相対する二枚の側面パネル６の間にシャッター８を介装したので、筺体４の内部機器に妨げられることなく、シャッター８を収納箱２の外部から操作でき、連結部３に位置する通線窓７を容易に開閉できる。
（ｂ）掛止部９を筺体４の上面に掛止し、シャッター８を吊り下げた状態でスライドするので、通線窓７を開放状態としておくときでも、シャッター８を収納箱２から取り外す必要がなく、そのまま二台の収納箱２の間に保管できる。
【００１５】
（ｃ）シャッター８の掛止部９がカバー１０で上側から覆われているので、カバー１０を取り外さない限り、シャッター８を抜き取ることができず、筺体４内部への不正アクセスを防止し、収納箱２のセキュリティ性能を高めることができる。
（ｄ）カバー１０の取付部１１が収納箱２の扉５で隠されているので、扉５を閉じた状態では、カバー１０を取り外すことができず、収納箱２のセキュリティ性能がさらに高まる。
【００１６】
本発明は前記実施例に限定されるものではなく、例えば、通線窓７の数および大きさを変更したり、シャッター８の枚数を増減したり、三台またはそれ以上の収納箱２を並置した設備に適用したりするなど、本発明の趣旨を逸脱しない範囲で、各部の形状や構成を適宜に変更して実施することも可能である。
【図面の簡単な説明】
【００１７】
【図１】本発明の一実施例を示す連結通線構造の斜視図である。
【図２】通線窓とシャッターを示す収納箱の右側面図である。
【図３】シャッターとカバーを示す収納箱の平面図である。
【図４】連結通線構造の動作を示す断面図である。
【符号の説明】
【００１８】
１    連結通線構造
２    電気機器収納箱
３    連結部
４    筺体
５    扉
６    側面パネル
７    通線窓
８    シャッター
９    掛止部
１０    カバー
１１    取付部
１２    ネジ
１３    切欠
１４    突起
【図１】
2009224630.tif 000003
【図２】
2009224630.tif 000004
【図３】
2009224630.tif 000005
【図４】
2009224630.tif 000006